(57)【要約】      （修正有）【課題】ユーザのニーズに応じて、商品のレンタルを実施する。【解決手段】レンタルサーバは、複数のユーザ識別子が登録されたレンタル用ＤＢと、保管受付部と、保管登録部と、公開部と、レンタル回数登録部と、報酬金決定部とを具備する。保管受付部は、第１ユーザ識別子と、第１ユーザが所有する商品を表す商品情報とを第１ユーザ端末から受け付ける。保管登録部は、商品情報と、商品をレンタルするときのレンタル料金とを第１ユーザ識別子に対応付けてレンタル用ＤＢに登録する。公開部は、レンタル用ＤＢに登録された商品情報とレンタル料金とをネットワーク上に公開する。例えば、第２ユーザは、ネットワーク上に公開された商品情報が表す商品をレンタルする。レンタル回数登録部は、レンタルの回数を第１ユーザ識別子と商品情報とに対応付けてレンタル用ＤＢに登録する。ここで、レンタル料金は、第２ユーザから第１ユーザに支払われる報酬金を含む。【選択図】図５
2007004622.tif 000002
【特許請求の範囲】
【請求項１】
ネットワークに接続され、それぞれ複数のユーザに利用される複数のユーザ端末と、
前記ネットワークに接続され、制御装置と記憶装置とを備えたレンタルサーバとを具備し、
前記記憶装置は、
それぞれ前記複数のユーザを識別する複数のユーザ識別子が登録されたレンタル用データベースを具備し、
前記制御装置は、
第１ユーザを識別する第１ユーザ識別子と、前記第１ユーザが所有する商品を表す商品情報とを第１ユーザ端末から受け付ける保管受付部と、
前記商品情報と、前記商品をレンタルするときのレンタル料金とを前記第１ユーザ識別子に対応付けて前記レンタル用データベースに登録する保管登録部と、
前記レンタル用データベースに登録された前記商品情報と前記レンタル料金とを前記ネットワーク上に公開する公開部と、前記複数のユーザのうちの第２ユーザは、前記ネットワーク上に公開された前記商品情報が表す前記商品をレンタルし、
前記レンタルの回数を前記第１ユーザ識別子と前記商品情報とに対応付けて前記レンタル用データベースに登録するレンタル回数登録部と、前記レンタル料金は、前記第２ユーザから前記第１ユーザに支払われる報酬金を含み、
前記レンタル用データベースを参照し、前記報酬金を前記レンタルの回数に応じて決定する報酬金決定部と
を具備するレンタルシステム。
【請求項２】
請求項１に記載のレンタルシステムにおいて、
更に、
前記ネットワークに接続され、配送業者に利用される配送業者端末を具備し、
前記制御装置は、
前記第２ユーザを識別する第２ユーザ識別子と、前記商品をレンタルするためのレンタル情報とを第２ユーザ端末から受け付けるレンタル受付部と、
前記レンタル情報を前記第２ユーザ識別子に対応付けて前記レンタル用データベースに登録するレンタル登録部と、
前記配送業者が前記第２ユーザに前記商品を配送するための配送依頼情報を生成し、前記配送業者端末に送信する配送処理部と
を更に具備するレンタルシステム。
【請求項３】
請求項２に記載のレンタルシステムにおいて、
前記記憶装置は、
それぞれ複数のコンビニエンスストアを識別する複数のコンビニ識別子と、それぞれ複数の倉庫を識別する複数の倉庫識別子とが登録された配送用データベースを更に具備し、
前記保管登録部は、
前記商品情報と前記レンタル料金と共に、前記商品を保管する保管用倉庫を識別する保管用倉庫識別子を前記第１ユーザ識別子に対応付けて前記レンタル用データベースに登録し、
前記複数のユーザ識別子、前記複数のコンビニ識別子、前記複数の倉庫識別子は、それぞれ前記複数のユーザ、前記複数のコンビニエンスストア、前記複数の倉庫の住所を含み、
前記配送処理部は、
前記配送用データベースを参照して、前記複数のコンビニ識別子の中から、前記第２ユーザの住所に最も近い配達用コンビニエンスストアを識別する配達用コンビニ識別子を検索し、前記配達用コンビニ識別子を前記第２ユーザ端末に送信し、
前記配送業者が前記保管用倉庫から前記配達用コンビニエンスストアに前記商品を配送するために、前記商品情報と前記保管用倉庫識別子と前記配達用コンビニ識別子とを含む前記配送依頼情報を前記配送業者端末に送信する
レンタルシステム。    
【請求項４】
請求項１〜３のいずれかに記載のレンタルシステムにおいて、
前記レンタル料金は、更に、基本レンタル料金を含み、
前記商品の定価をＰ（Ｐは１以上の整数）とし、前記レンタル料金をＲとし、前記基本レンタル料金をＲ１とし、前記報酬金をＲ２とし、前記レンタルの回数をＮとしたとき、
前記レンタル料金Ｒ、前記基本レンタル料金Ｒ１、前記報酬金Ｒ２は、それぞれ、計算式
Ｒ＝Ｒ１＋Ｒ２
Ｒ１＝Ｐ×Ｘ（定数Ｘは、０＜Ｘ＜１を満たす）
Ｒ２＝Ｒ１×｛Ｙ＋（Ｎ×Ｚ）｝（定数Ｙは、０＜Ｙ＜１を満たす）（定数Ｚは、０＜Ｚ＜１を満たす）
により表される
レンタルシステム。
【請求項５】
請求項４に記載のレンタルシステムにおいて、
前記定数Ｘは０．１であり、
前記定数Ｙは０．１であり、
前記定数Ｚは０．００１である
レンタルシステム。
【請求項６】
請求項４又は５に記載のレンタルシステムにおいて、
前記商品は書籍である
レンタルシステム。
【請求項７】
請求項６に記載のレンタルシステムにおいて、
前記基本レンタル料金は、前記書籍のＩＳＢＮ（Ｉｎｔｅｒｎａｔｉｏｎａｌ  Ｓｔａｎｄａｒｄ  Ｂｏｏｋ  Ｎｕｍｂｅｒ）コードに応じて設定される
レンタルシステム。
【請求項８】
それぞれ複数のユーザに利用される複数のユーザ端末とネットワークに接続されたレンタルサーバであって、
制御装置と、
記憶装置とを具備し、
前記記憶装置は、
それぞれ前記複数のユーザを識別する複数のユーザ識別子が登録されたレンタル用データベースを具備し、
前記制御装置は、
第１ユーザを識別する第１ユーザ識別子と、前記第１ユーザが所有する商品を表す商品情報とを第１ユーザ端末から受け付ける保管受付部と、
前記商品情報と、前記商品をレンタルするときのレンタル料金とを前記第１ユーザ識別子に対応付けて前記レンタル用データベースに登録する保管登録部と、
前記レンタル用データベースに登録された前記商品情報と前記レンタル料金とを前記ネットワーク上に公開する公開部と、前記複数のユーザのうちの第２ユーザは、前記ネットワーク上に公開された前記商品情報が表す前記商品をレンタルし、
前記レンタルの回数を前記第１ユーザ識別子と前記商品情報とに対応付けて前記レンタル用データベースに登録するレンタル回数登録部と、前記レンタル料金は、前記第２ユーザから前記第１ユーザに支払われる報酬金を含み、
前記レンタル用データベースを参照し、前記報酬金を前記レンタルの回数に応じて決定する報酬金決定部と
を具備するレンタルサーバ。
【請求項９】
請求項８に記載のレンタルサーバにおいて、
前記レンタルサーバは、配送業者に利用される配送業者端末と前記ネットワークに接続され、
前記制御装置は、
前記第２ユーザを識別する第２ユーザ識別子と、前記商品をレンタルするためのレンタル情報とを第２ユーザ端末から受け付けるレンタル受付部と、
前記レンタル情報を前記第２ユーザ識別子に対応付けて前記レンタル用データベースに登録するレンタル登録部と、
前記配送業者が前記第２ユーザに前記商品を配送するための配送依頼情報を生成し、前記配送業者端末に送信する配送処理部と
を更に具備するレンタルサーバ。
【請求項１０】
請求項９に記載のレンタルサーバにおいて、
前記記憶装置は、
それぞれ複数のコンビニエンスストアを識別する複数のコンビニ識別子と、それぞれ複数の倉庫を識別する複数の倉庫識別子とが登録された配送用データベースを更に具備し、
前記保管登録部は、
前記商品情報と前記レンタル料金と共に、前記商品を保管する保管用倉庫を識別する保管用倉庫識別子を前記第１ユーザ識別子に対応付けて前記レンタル用データベースに登録し、
前記複数のユーザ識別子、前記複数のコンビニ識別子、前記複数の倉庫識別子は、それぞれ前記複数のユーザ、前記複数のコンビニエンスストア、前記複数の倉庫の住所を含み、
前記配送処理部は、
前記配送用データベースを参照して、前記複数のコンビニ識別子の中から、前記第２ユーザの住所に最も近い配達用コンビニエンスストアを識別する配達用コンビニ識別子を検索し、前記配達用コンビニ識別子を前記第２ユーザ端末に送信し、
前記配送業者が前記保管用倉庫から前記配達用コンビニエンスストアに前記商品を配送するために、前記商品情報と前記保管用倉庫識別子と前記配達用コンビニ識別子とを含む前記配送依頼情報を前記配送業者端末に送信する
レンタルサーバ。    
【請求項１１】
請求項８〜１０のいずれかに記載のレンタルサーバにおいて、
前記レンタル料金は、更に、基本レンタル料金を含み、
前記商品の定価をＰ（Ｐは１以上の整数）とし、前記レンタル料金をＲとし、前記基本レンタル料金をＲ１とし、前記報酬金をＲ２とし、前記レンタルの回数をＮとしたとき、
前記レンタル料金Ｒ、前記基本レンタル料金Ｒ１、前記報酬金Ｒ２は、それぞれ、計算式
Ｒ＝Ｒ１＋Ｒ２
Ｒ１＝Ｐ×Ｘ（定数Ｘは、０＜Ｘ＜１を満たす）
Ｒ２＝Ｒ１×｛Ｙ＋（Ｎ×Ｚ）｝（定数Ｙは、０＜Ｙ＜１を満たす）（定数Ｚは、０＜Ｚ＜１を満たす）
により表される
レンタルサーバ。
【請求項１２】
請求項１１に記載のレンタルサーバにおいて、
前記定数Ｘは０．１であり、
前記定数Ｙは０．１であり、
前記定数Ｚは０．００１である
レンタルサーバ。
【請求項１３】
請求項１１又は１２に記載のレンタルサーバにおいて、
前記商品は書籍である
レンタルサーバ。
【請求項１４】
請求項１３に記載のレンタルサーバにおいて、
前記基本レンタル料金は、前記書籍のＩＳＢＮ（Ｉｎｔｅｒｎａｔｉｏｎａｌ  Ｓｔａｎｄａｒｄ  Ｂｏｏｋ  Ｎｕｍｂｅｒ）コードに応じて設定される
レンタルサーバ。
【請求項１５】
それぞれ複数のユーザに利用される複数のユーザ端末とネットワークに接続され、記憶装置を具備するコンピュータを用いる方法であって、
前記記憶装置は、
それぞれ前記複数のユーザを識別する複数のユーザ識別子が登録されたレンタル用データベースを具備し、
第１ユーザを識別する第１ユーザ識別子と、前記第１ユーザが所有する商品を表す商品情報とを第１ユーザ端末から受け付ける保管受付ステップと、
前記商品情報と、前記商品をレンタルするときのレンタル料金とを前記第１ユーザ識別子に対応付けて前記レンタル用データベースに登録する保管登録ステップと、
前記レンタル用データベースに登録された前記商品情報と前記レンタル料金とを前記ネットワーク上に公開する公開ステップと、前記複数のユーザのうちの第２ユーザは、前記ネットワーク上に公開された前記商品情報が表す前記商品をレンタルし、
前記レンタルの回数を前記第１ユーザ識別子と前記商品情報とに対応付けて前記レンタル用データベースに登録するレンタル回数登録ステップと、前記レンタル料金は、前記第２ユーザから前記第１ユーザに支払われる報酬金を含み、
前記レンタル用データベースを参照し、前記報酬金を前記レンタルの回数に応じて決定する報酬金決定ステップと
を具備するレンタル方法。
【請求項１６】
請求項１５に記載のレンタル方法において、
前記コンピュータは、配送業者に利用される配送業者端末と前記ネットワークに接続され、
前記第２ユーザを識別する第２ユーザ識別子と、前記商品をレンタルするためのレンタル情報とを第２ユーザ端末から受け付けるレンタル受付ステップと、
前記レンタル情報を前記第２ユーザ識別子に対応付けて前記レンタル用データベースに登録するレンタル登録ステップと、
前記配送業者が前記第２ユーザに前記商品を配送するための配送依頼情報を生成し、前記配送業者端末に送信する配送処理ステップと
を更に具備するレンタル方法。
【請求項１７】
請求項１６に記載のレンタル方法において、
前記記憶装置は、
それぞれ複数のコンビニエンスストアを識別する複数のコンビニ識別子と、それぞれ複数の倉庫を識別する複数の倉庫識別子とが登録された配送用データベースを更に具備し、
前記保管登録ステップは、
前記商品情報と前記レンタル料金と共に、前記商品を保管する保管用倉庫を識別する保管用倉庫識別子を前記第１ユーザ識別子に対応付けて前記レンタル用データベースに登録するステップを含み、
前記複数のユーザ識別子、前記複数のコンビニ識別子、前記複数の倉庫識別子は、それぞれ前記複数のユーザ、前記複数のコンビニエンスストア、前記複数の倉庫の住所を含み、
前記配送処理ステップは、
前記配送用データベースを参照して、前記複数のコンビニ識別子の中から、前記第２ユーザの住所に最も近い配達用コンビニエンスストアを識別する配達用コンビニ識別子を検索し、前記配達用コンビニ識別子を前記第２ユーザ端末に送信するステップと、
前記配送業者が前記保管用倉庫から前記配達用コンビニエンスストアに前記商品を配送するために、前記商品情報と前記保管用倉庫識別子と前記配達用コンビニ識別子とを含む前記配送依頼情報を前記配送業者端末に送信するステップと
を含むレンタル方法。
【請求項１８】
請求項１５〜１７のいずれかに記載のレンタル方法において、
前記レンタル料金は、更に、基本レンタル料金を含み、
前記商品の定価をＰ（Ｐは１以上の整数）とし、前記レンタル料金をＲとし、前記基本レンタル料金をＲ１とし、前記報酬金をＲ２とし、前記レンタルの回数をＮとしたとき、
前記レンタル料金Ｒ、前記基本レンタル料金Ｒ１、前記報酬金Ｒ２は、それぞれ、計算式
Ｒ＝Ｒ１＋Ｒ２
Ｒ１＝Ｐ×Ｘ（定数Ｘは、０＜Ｘ＜１を満たす）
Ｒ２＝Ｒ１×｛Ｙ＋（Ｎ×Ｚ）｝（定数Ｙは、０＜Ｙ＜１を満たす）（定数Ｚは、０＜Ｚ＜１を満たす）
により表される
レンタル方法。
【請求項１９】
請求項１８に記載のレンタル方法において、
前記定数Ｘは０．１であり、
前記定数Ｙは０．１であり、
前記定数Ｚは０．００１である
レンタル方法。
【請求項２０】
請求項１８又は１９に記載のレンタル方法において、
前記商品は書籍である
レンタル方法。
【請求項２１】
請求項２０に記載のレンタル方法において、
前記基本レンタル料金は、前記書籍のＩＳＢＮ（Ｉｎｔｅｒｎａｔｉｏｎａｌ  Ｓｔａｎｄａｒｄ  Ｂｏｏｋ  Ｎｕｍｂｅｒ）コードに応じて設定される
レンタル方法。
【請求項２２】
請求項１５〜２０のいずれかに記載のレンタル方法の各ステップを前記コンピュータに実行させるコンピュータプログラム。
【発明の詳細な説明】
【技術分野】
【０００１】
本発明は、販売された商品をレンタルするレンタルシステムに関する。
【背景技術】
【０００２】
ビデオテープ、ＣＤ、本等のレンタル商品をレンタルするシステムが知られている（例えば特許文献１）。
【０００３】
特許文献１（特開２００２−１５０４２１号公報）には、レンタル商品予約システムが記載されている。このシステムでは、レンタルを希望するユーザがレンタル店へ行かなくてもビデオテープ、ＣＤ、本等の商品の在庫を検索することができ、商品を事前にレンタル予約することも可能である。これにより、レンタル店では在庫管理の手間を省くことができる。
【０００４】
特定の商品がレンタル店に陳列されていない場合がある。特定の商品が例えば書籍であるとき、それが絶版である場合がある。このような場合、その書籍を所有する所有者（第１ユーザ）にとっては希少価値が高い。また、その書籍を所有していないユーザ（第２ユーザ）にとっても希少価値が高く、第２ユーザは、その書籍を購入できなくても、それのレンタルを必要とする場合がある。しかしながら、その書籍がレンタル店や図書館にも無い場合、第２ユーザは、第１ユーザと知り合いではない限り、その書籍を読むことができない。また、第１ユーザは、その書籍を今現在読んでいないが、他人への貸し出しに気が向かない場合もある。したがって、ユーザのニーズに応じて、商品のレンタルを実施することができるレンタルシステムが望まれる。
【０００５】
レンタルに関するシステムについて紹介する。
【０００６】
特許文献２（特開２００４−３４８４８２号公報）には、事業者保有の工作機械賃貸・賃借情報交換システムが記載されている。このシステムでは、鉄工所や部品製造業者等の事業者が、所有権を保有したままの状態で、新品や中古の遊休状態である工作機械のレンタルを行なう。
【０００７】
【特許文献１】特開２００２−１５０４２１号公報
【特許文献２】特開２００４−３４８４８２号公報
【発明の開示】
【発明が解決しようとする課題】
【０００８】
本発明の課題は、ユーザのニーズに応じて、商品のレンタルを実施することができるレンタルシステムを提供することにある。
【課題を解決するための手段】
【０００９】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明のレンタルシステムは、複数のユーザ端末（５−１〜５−ｎ）と、レンタルサーバ（１）とを具備している。前記複数のユーザ端末（５−１〜５−ｎ）は、ネットワーク（１００）に接続され、それぞれ複数のユーザ（Ｂ−１〜Ｂ−ｎ）（ｎは１以上の整数）に利用される。前記レンタルサーバ（１）は、前記ネットワーク（１００）に接続され、コンピュータである制御装置（１０）と、記憶装置（１２）とを具備している。
前記記憶装置（１２）は、レンタル用データベース（３０）を具備している。前記レンタル用データベース（３０）には、それぞれ前記複数のユーザ（Ｂ−１〜Ｂ−ｎ）を識別する複数のユーザ識別子（ｂ−１〜ｂ−ｎ）が登録されている。
前記制御装置（１０）は、コンピュータプログラム（１３）を具備している。前記コンピュータプログラム（１３）は、保管受付部（２１）と、保管登録部（２２）と、公開部（２３）と、レンタル回数登録部（２４）と、報酬金決定部（２５）とを具備している。
前記保管受付部（２１）は、第１ユーザ（Ｂ−１）を識別する第１ユーザ識別子（ｂ−１）と、前記第１ユーザ（Ｂ−１）が所有する商品を表す商品情報（９０）とを第１ユーザ端末（５−１）から受け付ける（Ｓ８；Ｓ２１、Ｓ２３）。
前記保管登録部（２２）は、前記商品情報（９０）と、前記商品をレンタルするときのレンタル料金（Ｒ）とを前記第１ユーザ識別子（ｂ−１）に対応付けて前記レンタル用データベース（３０）に登録する（Ｓ８；Ｓ２８）。
前記公開部（２３）は、前記レンタル用データベース（３０）に登録された前記商品情報（９０）と前記レンタル料金（Ｒ）とを前記ネットワーク（１００）上に公開する（２５０）（Ｓ１０；Ｓ３１）。例えば、前記複数のユーザのうちの第２ユーザは、前記ネットワーク（１００）上に公開された前記商品情報（９０）が表す前記商品をレンタルする。
前記レンタル回数登録部（２４）は、前記レンタルの回数を前記第１ユーザ識別子（ｂ−１）と前記商品情報（９０）とに対応付けて前記レンタル用データベース（３０）に登録する（Ｓ１０；Ｓ３２）。ここで、前記レンタル料金は、前記第２ユーザから前記第１ユーザ（Ｂ−１）に支払われる報酬金（Ｒ２）を含んでいる。
前記報酬金決定部（２５）は、前記レンタル用データベース（３０）を参照し、前記報酬金（Ｒ２）を前記レンタルの回数に応じて決定する（Ｓ８；Ｓ２４、Ｓ２５）（Ｓ１０；Ｓ３３）。
【００１１】
本発明のレンタルシステムでは、商品の所有者である第１ユーザ（Ｂ−１）にロイヤリティとして報酬金（Ｒ２）を与える。例えば、特定の商品がレンタル店に陳列されていない場合がある。特定の商品が例えば書籍であるとき、それが絶版である場合がある。このような場合、その書籍を所有する所有者（第１ユーザ）（Ｂ−１）にとっては希少価値が高い。また、その書籍を所有していないユーザ（第２ユーザ）にとっても希少価値が高く、第２ユーザは、その書籍を購入できなくても、それのレンタルを必要とする場合がある。しかしながら、その書籍がレンタル店や図書館にも無い場合、第２ユーザは、第１ユーザと知り合いではない限り、その書籍を読むことができない。また、第１ユーザは、その書籍を今現在読んでいないが、他人への貸し出しに気が向かない場合もある。
このような場合、第１ユーザが所有する商品を第２ユーザがレンタルするときに、第２ユーザから第１ユーザに報酬金（Ｒ２）が支払われる。このため、商品を貸し出す第１ユーザにロイヤリティを与えれば、第１ユーザは満足に商品を貸し出すことができる。
また、報酬金（Ｒ２）はレンタルの回数に応じて決定されるため、報酬金（Ｒ２）をレンタルの回数に比例して高くすることにより、第１ユーザは満足に商品を貸し出すことができる。
このように、本発明のレンタルシステムによれば、ユーザのニーズに応じて、商品のレンタルを実施することができる。
【００１２】
本発明のレンタルシステムは、更に、配送業者端末（６）を具備している。前記配送業者端末（６）は、前記ネットワーク（１００）に接続され、配送業者（Ｄ）に利用される。
前記コンピュータプログラム（１３）は、更に、レンタル受付部（２６）と、レンタル登録部（２７）と、配送処理部（２８）とを具備している。
前記レンタル受付部（２６）は、前記第２ユーザ（Ｂ−３）を識別する第２ユーザ識別子（ｂ−３）と、前記商品をレンタルするためのレンタル情報（９１）とを第２ユーザ端末（５−３）から受け付ける（Ｓ３１；Ｓ４１、Ｓ４４）。
前記レンタル登録部（２７）は、前記レンタル情報（９１）を前記第２ユーザ識別子（ｂ−３）に対応付けて前記レンタル用データベース（３０）に登録する（Ｓ３１；Ｓ４９、Ｓ５２）。
前記配送処理部（２８）は、前記配送業者（Ｄ）が前記第２ユーザ（Ｂ−３）に前記商品を配送するための配送依頼情報（９２）を生成し、前記配送業者端末（６）に送信する（Ｓ３１；Ｓ５３）。
【００１３】
このように、本発明のレンタルシステムでは、ネットワーク（１００）上で商品の貸し借りを行なうので、物流に関しては、ユーザ自身ではなく、配送業者（Ｄ）が商品を配送することが好ましい。
【００１４】
本発明のレンタルシステムにおいて、前記記憶装置（１２）は、配送用データベース（４０）を更に具備している。前記配送用データベース（４０）には、それぞれ複数のコンビニエンスストア（Ｅ−１〜Ｅ−ｍ）（ｍは１以上の整数）を識別する複数のコンビニ識別子（ｅ−１〜ｅ−ｍ）と、それぞれ複数の倉庫（Ａ−１〜Ａ−Ｍ）（Ｍは１以上の整数）を識別する複数の倉庫識別子（ａ−１〜ａ−Ｍ）とが登録されている。
前記保管登録部（２２）は、前記商品情報（９０）と前記レンタル料金（Ｒ）と共に（Ｓ８；Ｓ２８）、前記商品を保管する保管用倉庫（Ａ−１）を識別する保管用倉庫識別子（ａ−１）を前記第１ユーザ識別子（ｂ−１）に対応付けて前記レンタル用データベース（３０）に登録する（Ｓ８；Ｓ２９）。
前記複数のユーザ識別子（ｂ−１〜ｂ−ｎ）、前記複数のコンビニ識別子（ｅ−１〜ｅ−ｍ）、前記複数の倉庫識別子（ａ−１〜ａ−Ｍ）は、それぞれ前記複数のユーザ（Ｂ−１〜Ｂ−ｎ）、前記複数のコンビニエンスストア（Ｅ−１〜Ｅ−ｍ）、前記複数の倉庫（Ａ−１〜Ａ−Ｍ）の住所を含んでいる。
前記配送処理部（２８）は、前記配送用データベース（４０）を参照して、前記複数のコンビニ識別子（ｅ−１〜ｅ−ｍ）の中から、前記第２ユーザ（Ｂ−３）の住所に最も近い配達用コンビニエンスストア（Ｅ−１００）を識別する配達用コンビニ識別子（ｅ−１００）を検索し、前記配達用コンビニ識別子（ｅ−１００）を前記第２ユーザ端末（５−３）に送信する（Ｓ３１；Ｓ４５、Ｓ４６）。
前記配送処理部（２８）は、前記配送業者（Ｄ）が前記保管用倉庫（Ａ−１）から前記配達用コンビニエンスストア（Ｅ−１００）に前記商品を配送するために、前記商品情報（９０）と前記保管用倉庫識別子（ａ−１）と前記配達用コンビニ識別子（ｅ−１００）とを含む前記配送依頼情報（９２）を前記配送業者端末（６）に送信する（Ｓ３１；Ｓ５３）。
【００１５】
本発明のレンタルシステムでは、物流に関して、配送業者（Ｄ）はコンビニエンスストア（Ｅ−ｉ）（ｉ＝１、２、…、ｍ）を経由して商品を配送する。このように、コンビニエンスストア（Ｅ−ｉ）を利用することにより、全国規模で商品を扱うことができる。
また、本発明のレンタルシステムでは、コンビニエンスストア（Ｅ−ｉ）を利用することにより、第２ユーザ（Ｂ−３）がレンタル可能な商品が増え、第１ユーザ（Ｂ−１）に支払われる報酬金（Ｒ２）が増える。このため、ユーザのニーズに応じて、商品のレンタルを実施することができる。
【００１６】
本発明のレンタルシステムにおいて、前記レンタル料金（Ｒ）は、更に、基本レンタル料金（Ｒ１）を含んでいる。
前記商品の定価をＰ（Ｐは１以上の整数）とし、前記レンタル料金をＲとし、前記基本レンタル料金をＲ１とし、前記報酬金をＲ２とし、前記レンタルの回数をＮとしたとき、前記レンタル料金Ｒ、前記基本レンタル料金Ｒ１、前記報酬金Ｒ２は、それぞれ、計算式
Ｒ＝Ｒ１＋Ｒ２
Ｒ１＝Ｐ×Ｘ（定数Ｘは、０＜Ｘ＜１を満たす）
Ｒ２＝Ｒ１×｛Ｙ＋（Ｎ×Ｚ）｝（定数Ｙは、０＜Ｙ＜１を満たす）（定数Ｚは、０＜Ｚ＜１を満たす）
により表される。
【００１７】
本発明のレンタルシステムでは、上述のように、報酬金（Ｒ２）をレンタルの回数（Ｎ）に比例して高くすることにより、第１ユーザは満足に商品を貸し出すことができる。
このように、本発明のレンタルシステムによれば、ユーザのニーズに応じて、商品のレンタルを実施することができる。
【００１８】
本発明のレンタルシステムにおいて、前記定数Ｘは０．１であり、前記定数Ｙは０．１であり、前記定数Ｚは０．００１である。
【００１９】
本発明のレンタルシステムにおいて、前記商品は書籍である。この場合、前記基本レンタル料金（Ｒ１）は、前記書籍のＩＳＢＮ（Ｉｎｔｅｒｎａｔｉｏｎａｌ  Ｓｔａｎｄａｒｄ  Ｂｏｏｋ  Ｎｕｍｂｅｒ）コードに応じて設定される。
【発明の効果】
【００２０】
本発明のレンタルシステムによれば、ユーザのニーズに応じて、商品のレンタルを実施することができる。
本発明のレンタルシステムによれば、物流に関してコンビニエンスストアを利用することにより、全国規模で商品を扱うことができる。
【発明を実施するための最良の形態】
【００２１】
以下に添付図面を参照して、本発明のレンタルシステムについて詳細に説明する。
【００２２】
図１は、本発明のレンタルシステムの構成を示すブロック図である。本発明のレンタルシステムは、レンタルサーバ１と、複数のユーザ端末５−１〜５−ｎ（ｎは１以上の整数）と、配送業者端末６と、情報処理端末８−１〜８−ｍ（ｍは１以上の整数）とを具備している。レンタルサーバ１と複数のユーザ端末５−１〜５−ｎと配送業者端末６と複数の情報処理端末８−１〜８−ｍはネットワーク１００に接続されている。
複数のユーザ端末５−１〜５−ｎは、それぞれ複数のユーザＢ−１〜Ｂ−ｎに利用される。
レンタルサーバ１は、商品のレンタルを支援するレンタル会社Ａに設けられている。商品としては、ビデオテープ、ＣＤ、書籍が例示される。本実施例では、商品が書籍である場合について説明する。レンタル会社Ａは、倉庫である書庫Ａ−１〜Ａ−Ｍ（Ｍは１以上の整数）を所有している。
配送業者端末６は、配送業者Ｄの従業員に利用される。配送業者Ｄはレンタル会社Ａと提携している。
複数の情報処理端末８−１〜８−ｍは、それぞれ複数のコンビニエンスストアＥ−１〜Ｅ−ｍの店員に利用される。複数のコンビニエンスストアＥ−１〜Ｅ−ｍは、レンタル会社Ａと配送業者Ｄとに提携している。
【００２３】
図２は、ユーザ端末５−ｊ（ｊ＝１、２、…、ｎ）の構成を示すブロック図である。ユーザ端末５−ｊは、コンピュータであり、制御装置５０と、記憶装置５２と、表示装置５５と、入力装置５６とを具備している。
制御装置５０は、実行部であるＣＰＵ（Ｃｅｎｔｒａｌ  Ｐｒｏｃｅｓｓｉｎｇ  Ｕｎｉｔ）５１を具備している。
記憶装置５２には、ＣＰＵ５１が実行するためのコンピュータプログラム５３が格納されている。コンピュータプログラム５３は、制御部（制御プログラム）５４を含んでいる。制御部５４の動作については後述する。
【００２４】
図３は、配送業者端末６の構成を示すブロック図である。配送業者端末６は、コンピュータであり、制御装置６０と、記憶装置６２と、出力装置６５と、入力装置６６とを具備している。
出力装置６５は、印刷装置、表示装置を含んでいる。
制御装置６０は、実行部であるＣＰＵ６１を具備している。
記憶装置６２には、ＣＰＵ６１が実行するためのコンピュータプログラム６３が格納されている。コンピュータプログラム６３は、制御部（制御プログラム）６４を含んでいる。制御部６４の動作については後述する。
【００２５】
図４は、情報処理端末８−ｉ（ｉ＝１、２、…、ｍ）の構成を示すブロック図である。情報処理端末８−ｉは、コンピュータであり、制御装置８０と、記憶装置８２と、表示装置８５と、カードリーダ８７と、バーコードリーダ８８とを具備している。
制御装置８０は、実行部であるＣＰＵ８１を具備している。
記憶装置８２には、ＣＰＵ８１が実行するためのコンピュータプログラム８３が格納されている。コンピュータプログラム８３は、制御部（制御プログラム）８４を含んでいる。制御部８４の動作については後述する。
【００２６】
図５は、レンタルサーバ１の構成を示すブロック図である。レンタルサーバ１は、制御装置１０と、記憶装置１２と、表示装置１５と、入力装置１６とを具備している。
制御装置１０は、実行部であるＣＰＵ１１を具備している。
記憶装置１２には、ＣＰＵ１１が実行するためのコンピュータプログラム１３が格納されている。コンピュータプログラム１３は、認証部（認証プログラム）２０、保管受付部（保管受付プログラム）２１、保管登録部（保管登録プログラム）２２、公開部（公開プログラム）２３、レンタル回数登録部（レンタル回数登録プログラム）２４、報酬決定部（報酬決定プログラム）２５、レンタル受付部（レンタル受付プログラム）２６、レンタル登録部（レンタル登録プログラム）２７、配送処理部（配送通知プログラム）２８、コンビニ受付部（コンビニ受付プログラム）２９を含んでいる。各プログラム２０〜２９の動作については後述する。
記憶装置１２には、更に、レンタル用データベース３０と、配送用データベース４０とが格納されている。
レンタル用データベース３０は、会員情報基本テーブル３１、ＩＳＢＮコード対応テーブル３２、書籍一覧基本テーブル３３、保管登録テーブル３４、レンタル登録テーブル３５を含んでいる。
配送用データベース４０は、レンタル開始日算出テーブル４１、地図データベース４２を含んでいる。地図データベース４２には、地図を表す地図データが格納されている。
【００２７】
図６は、会員情報基本テーブル３１に登録されている内容を示している。レンタルサーバ１を管理する管理者は、入力装置１６を用いて、ユーザ識別子ｂ−１〜ｂ−ｎを会員情報基本テーブル３１に登録しておく。ユーザ識別子ｂ−１〜ｂ−ｎは、それぞれユーザＢ−１〜Ｂ−ｎを識別する会員番号（会員ＩＤ）、パスワードを含んでいる。更に、ユーザ識別子ｂ−１〜ｂ−ｎは、それぞれユーザＢ−１〜Ｂ−ｎの氏名（ユーザ名）、郵便番号、住所、メールアドレス、金融業者が扱う口座番号を含んでいる。金融業者はレンタル会社Ａと提携している。
会員登録はコンビニエンスストアＥ−１〜Ｅ−ｍにて受け付けている。例えば、ユーザＢ−ｊは最寄りのコンビニエンスストアＥ−ｉに出向き、その店員に会員登録を申し出る。店員は、図１２に示されるような会員登録用紙２００をユーザＢ−ｊに提示し、ユーザＢ−ｊは、会員登録用紙２００に氏名、郵便番号、住所、パスワード、メールアドレス、口座番号を記入する。店員は、会員登録用紙２００を受け取ると共に、住民票又は自動車の免許書等の身分証明書の提示を求める。店員は、身分証明書によりユーザＢ−ｊを確認した場合、会員登録用紙２００をレンタル会社Ａの管理者宛に配送するよう配送業者Ｄに通知する。管理者は、配送業者Ｄから会員登録用紙２００を受け取り、ユーザＢ−ｊの会員ＩＤを決定し、その会員ＩＤと、会員登録用紙２００に記載された氏名、郵便番号、住所、パスワード、メールアドレス、口座番号とをユーザＢ−ｊのユーザ識別子ｂ−ｊとして会員情報基本テーブル３１に登録する。管理者は、会員ＩＤとパスワードとが記載された用紙と、会員ＩＤとパスワードとが記録された会員カードとを作成する。この用紙と会員カードは、ユーザＢ−ｊの住所に郵送される。用紙に記載された会員ＩＤとパスワードは、ユーザＢ−ｊがユーザ端末５−ｊを用いてレンタルサーバ１にログインするときに使われる。会員カードは、コンビニエンスストアＥ−１〜Ｅ−ｍにて会員認証するときに使われる。
【００２８】
図７は、ＩＳＢＮコード対応テーブル３２に登録されている内容を示している。管理者は、入力装置１６を用いて、書籍のＩＳＢＮ（Ｉｎｔｅｒｎａｔｉｏｎａｌ  Ｓｔａｎｄａｒｄ  Ｂｏｏｋ  Ｎｕｍｂｅｒ；国際標準図書番号）コードをＩＳＢＮコード対応テーブル３２に登録しておく。
ＩＳＢＮとは、国、出版社、書名を識別するために、書籍に固有に付けられる国際標準図書番号である。日本では、ＩＳＢＮの日本版として、日本図書コードが書籍の裏表紙に記載されている。日本図書コードは、ＩＳＢＮコード、分類コード、価格コードを含んでいる。書籍の裏表紙には、日本図書コードと共に、この日本図書コードに対応した書籍ＪＡＮコード（バーコード）が併記されている。
管理者は、入力装置１６を用いて、ＩＳＢＮコードに対応付けて、書名、著者、出版社、発行日、定価Ｐ、書籍ＪＡＮコードをＩＳＢＮコード対応テーブル３２に登録しておく。
【００２９】
図８は、書籍一覧基本テーブル３３に登録される内容を示している。書籍一覧基本テーブル３３には、後述の書籍情報と、レンタル料金と、レンタルの回数を表すレンタル回数と、レンタルの可否を表すレンタル可否情報と、書籍の保管場所を表す保管場所情報とが登録される。
書籍情報は、ＩＳＢＮコード、書籍個別番号、書籍状態情報、画像データを含んでいる。書籍個別番号は、複数のユーザＢ−１〜Ｂ−ｎのうちの第１ユーザ（所有者）から預かる書籍をレンタル会社Ａが管理するために、書籍に固有に付けられる番号である。レンタル会社Ａは、コンビニエンスストアＥ−ｉを経由して第１ユーザから書籍を預かり、その書籍は書庫Ａ−Ｉ（Ｉ＝１、２、…、Ｍ）に保管される。その場合、管理者は、書籍の裏表紙に書籍個別番号に対応したバーコードを添付する。
書籍状態情報は、書籍に破れがあるか否かを表す書籍破れ有無情報と、書籍に余計な線（文字）が記載されているか否かを表す書籍線引き有無情報と、書籍が日焼け（変色）しているか否かを表す書籍日焼け有無情報と、書籍に付けられていたカバーが無くなっているか否かを表す書籍カバー有無情報とを含んでいる。
【００３０】
レンタル料金は、基本レンタル料金と、ロイヤリティ（報酬金）とを含んでいる。基本レンタル料金は、書籍のＩＳＢＮコードに応じて設定（決定）される。書籍は、複数のユーザＢ−１〜Ｂ−ｎのうちの第２ユーザによりレンタルされる。報酬金は、その第２ユーザの口座から第１ユーザ（所有者）の口座に支払われる金額であり、レンタルの回数Ｎに応じて決定される。
書籍の定価をＰ（Ｐは１以上の整数）とし、レンタル料金をＲとし、基本レンタル料金をＲ１とし、報酬金をＲ２とし、レンタルの回数をＮとする。この場合、レンタル料金Ｒ、基本レンタル料金Ｒ１、報酬金Ｒ２は、それぞれ、計算式
Ｒ＝Ｒ１＋Ｒ２
Ｒ１＝Ｐ×Ｘ（定数Ｘは、０＜Ｘ＜１を満たす）
Ｒ２＝Ｒ１×｛Ｙ＋（Ｎ×Ｚ）｝（定数Ｙは、０＜Ｙ＜１を満たす）（定数Ｚは、０＜Ｚ＜１を満たす）
により表される。管理者は、入力装置１６を用いて、上記の計算式をプログラムである報酬決定部２５に記載しておく。管理者は、例えば、基本レンタル料金Ｒ１を定価Ｐの１０％とし、報酬金Ｒ２を、初期ロイヤリティとして基本レンタル料金Ｒ１の１０％とし、レンタルの回数Ｎに応じて基本レンタル料金Ｒ１の０．１％を初期ロイヤリティに加算するように、報酬決定部２５に記載しておく。即ち、定数Ｘは０．１であり、定数Ｙは０．１であり、定数Ｚは０．００１である。ただし、報酬金Ｒ２の上限としては、基本レンタル料金Ｒ１の５０％とする。
【００３１】
図９は、保管登録テーブル３４に登録される内容を示している。保管登録テーブル３４には、後述の保管番号と、保管情報と、保管登録状態情報とが登録される。
保管番号は、第１ユーザ（所有者）から預かる書籍をレンタル会社Ａが保管するときに付けられる固有の番号である。
保管情報は、保管会員ＩＤ、上記の書籍個別番号、登録日を含んでいる。保管会員ＩＤは、上記のユーザ識別子に含まれる会員ＩＤを表している。
保管登録状態情報は、“受け渡し済み”又は“受け渡し待ち”により表される。保管登録状態情報は、“受け渡し済み”である場合、保管登録テーブル３４に保管番号、保管情報が登録されていて、書庫Ａ−Ｉに保管するための書籍をコンビニエンスストアＥ−ｉが第１ユーザから受け取っていることを表している。“受け渡し待ち”である場合、保管登録テーブル３４に保管番号、保管情報が登録されているが、書庫Ａ−Ｉに保管するための書籍をコンビニエンスストアＥ−ｉが未だ第１ユーザから受け取っていないことを表している。
【００３２】
図１０は、レンタル登録テーブル３５に登録される内容を示している。レンタル登録テーブル３５には、後述のレンタル番号と、レンタル情報と、レンタル状態情報とが登録される。
レンタル番号は、第２ユーザ（レンタル者）によりレンタルされる書籍をレンタル会社Ａが管理するときに付けられる固有の番号である。
レンタル情報は、レンタル会員ＩＤ、レンタル開始日、レンタル期限、上記の書籍個別番号を含んでいる。レンタル会員ＩＤは、上記のユーザ識別子に含まれる会員ＩＤを表している。
レンタル登録状態情報は、“受け渡し済み”又は“受け渡し待ち”により表される。レンタル登録状態情報は、“受け渡し済み”である場合、レンタル登録テーブル３５にレンタル番号、レンタル情報が登録されていて、書庫Ａ−Ｉに保管されている書籍を第２ユーザがコンビニエンスストアＥ−ｉから受け取っていることを表している。“受け渡し待ち”である場合、レンタル登録テーブル３５にレンタル番号、レンタル情報が登録されているが、書庫Ａ−Ｉに保管されている書籍を第２ユーザが未だコンビニエンスストアＥ−ｉから受け取っていないことを表している。
【００３３】
図１１は、レンタル開始日算出テーブル４１に登録されている内容を示している。管理者は、入力装置１６を用いて、複数の書庫識別子ａ−１〜ａ−Ｍと、複数のコンビニ識別子ｅ−１〜ｅ−ｍと、配送日数とをレンタル開始日算出テーブル４１に登録しておく。
複数の書庫識別子ａ−１〜ａ−Ｍは、それぞれ書庫Ａ−１〜Ａ−Ｍを識別する識別子であり、それぞれ書庫Ａ−１〜Ａ−Ｍの名称、住所を含んでいる。
複数のコンビニ識別子ｅ−１〜ｅ−ｍは、それぞれコンビニエンスストアＥ−１〜Ｅ−ｍを識別する識別子であり、それぞれコンビニエンスストアＥ−１〜Ｅ−ｍの名称、住所を含んでいる。
配送日数は、配送業者Ｄにより決められた日数を表し、例えば、書庫識別子ａ−１とコンビニ識別子ｅ−１００とに対応する配送日数“２”は、書庫Ａ−１“北海道書庫”に保管された書籍をユーザＢ−ｊがコンビニエンスストアＥ−１００“川崎店舗”で受け取る場合、配送に要する日数が２日であることを表している。即ち、レンタル開始は、現在の日付に対して２日後であることを表している。
【００３４】
本発明のレンタルシステムでは、上述のように、商品の所有者である第１ユーザにロイヤリティとして報酬金Ｒ２を与える。例えば、特定の商品がレンタル店に陳列されていない場合がある。特定の商品が例えば書籍であるとき、それが絶版である場合がある。このような場合、その書籍を所有する所有者（第１ユーザ）にとっては希少価値が高い。また、その書籍を所有していないユーザ（第２ユーザ）にとっても希少価値が高く、第２ユーザは、その書籍を購入できなくても、それのレンタルを必要とする場合がある。しかしながら、その書籍がレンタル店や図書館にも無い場合、第２ユーザは、第１ユーザと知り合いではない限り、その書籍を読むことができない。また、第１ユーザは、その書籍を今現在読んでいないが、他人への貸し出しに気が向かない場合もある。
このような場合でも、本発明のレンタルシステムによれば、ユーザのニーズに応じて、書籍のレンタルを実施することができる。これについて、以下、詳細に説明する。
【００３５】
本発明のレンタルシステムでは、ユーザＢ−ｊ（ｊ＝１、２、…、ｎ）は、情報登録処理と受け渡し処理とを実行する。
また、ユーザＢ−ｊが本システムを利用する形態として、
（Ｉ）ユーザＢ−ｊが所有している書籍をレンタル会社Ａに保管する場合と、
（ＩＩ）保管された書籍をユーザＢ−ｊがレンタルする場合と
が挙げられる。
【００３６】
（Ｉ）の場合について説明する。例えばユーザＢ−１は、図２０に示されるような情報登録処理を実行する。
【００３７】
ユーザ端末５−１の制御部５４は、ユーザＢ−１の入力装置５６の操作により、レンタルサーバ１にアクセスする（ステップＳ１）。このとき、レンタルサーバ１の認証部２０は、図１３に示されるような会員認証ページ２１０をユーザ端末５−１の表示装置５５に表示する（ステップＳ２）。
ユーザ端末５−１の制御部５４は、ユーザＢ−１の入力装置５６の操作により、個人ＩＤ、パスワードをユーザ識別子としてレンタルサーバ１に送信する（ステップＳ３）。レンタルサーバ１の認証部２０は、そのユーザ識別子を受け付け、レンタル用データベース３０の会員情報基本テーブル３１に登録されたユーザ識別子ｂ−１〜ｂ−ｎと照合する（ステップＳ４）。ここで、照合の結果、ユーザ端末５−１からのユーザ識別子と、会員情報基本テーブル３１に登録されたユーザ識別子ｂ−１〜ｂ−ｎとが一致しない場合（ステップＳ５−ＮＯ）、認証部２０は、ログインを許可しないで、会員登録をお願いする旨をユーザ端末５−１に通知する（ステップＳ１１）。照合の結果、ユーザ端末５−１からのユーザ識別子とユーザ識別子ｂ−１とが一致する場合（ステップＳ５−ＹＥＳ）、認証部２０は、ログインを許可し、図１４に示されるようなサービス選択ページ２２０をユーザ端末５−１の表示装置５５に表示する（ステップＳ６）。サービス選択ページ２２０は、“保管登録受付”、“レンタル登録受付”を選択する欄を含んでいる。
ユーザＢ−１は、入力装置５６を操作して、サービス選択ページ２２０の“保管登録受付”を選択する（ステップＳ７−ＹＥＳ）。この場合、ユーザ端末５−１とレンタルサーバ１は図２１に示されるような保管登録処理を実行する（ステップＳ８）。
【００３８】
保管登録処理（ステップＳ８）において、レンタルサーバ１の保管受付部２１は、“保管登録受付”が選択されたとき、図１５に示されるような保管登録申請ページ２３０をユーザ端末５−１の表示装置５５に表示する（ステップＳ２１）。ユーザ端末５−１の制御部５４は、ユーザＢ−１の入力装置５６の操作により、ユーザＢ−１が所有する書籍におけるＩＳＢＮコード“４００００５４６４６５”、書籍状態情報、画像データを含む書籍情報９０を入力してレンタルサーバ１に送信する（ステップＳ２２）。
レンタルサーバ１の保管受付部２１は、その書籍情報９０を受け付ける（ステップＳ２３）。レンタルサーバ１の報酬決定部２５は、レンタル用データベース３０のＩＳＢＮコード対応テーブル３２を参照して、書籍情報９０に含まれるＩＳＢＮコードに対応する書名、著書、出版社、発行日、定価Ｐ“１００００（円）”を検索する。報酬決定部２５は、上記の計算式により、基本レンタル料金Ｒ１と初期ロイヤリティ（報酬金Ｒ２）とを含むレンタル料金Ｒを決定する（ステップＳ２４）。このとき、基本レンタル料金Ｒ１は“１０００（円）”である（Ｒ１＝Ｐ×０．１＝１００００×０．１＝１０００）。また、報酬金Ｒ２は、上記の計算式ではレンタル回数Ｎが“０”であるため、“１００（円）”である（Ｒ２＝Ｒ１×｛０．１＋（Ｎ×０．００１）｝＝１０００×｛０．１＋（０×０．００１）｝＝１００）。
次に、報酬決定部２５は、図１６に示されるようなロイヤリティ確認ページ２４０をユーザ端末５−１の表示装置５５に表示する（ステップＳ２５）。ロイヤリティ確認ページ２４０は、検索された書名、著書、出版社、基本レンタル料金Ｒ１、初期ロイヤリティ（報酬金Ｒ２）が記載された欄と、“同意する”、“同意しない”を選択する欄を含んでいる。
【００３９】
ユーザＢ−１は、入力装置５６を操作して、ロイヤリティ確認ページ２４０の“同意する”を選択する（ステップＳ２６−ＹＥＳ）。このとき、ユーザ端末５−１の制御部５４は、登録要求をレンタルサーバ１に送信し、レンタルサーバ１の保管登録部２２は、書籍情報９０とレンタル料金Ｒとをユーザ識別子ｂ−１に対応付けてレンタル用データベース３０に登録する（ステップＳ２８）。
具体的には、保管登録部２２は、ユニークな保管番号“００００００１”と保管情報と保管登録状態情報とをレンタル用データベース３０の保管登録テーブル３４に登録する。登録される保管情報は、ユーザＢ−１のユーザ識別子ｂ−１に含まれる会員ＩＤ“０００１”と、ユニークな書籍個別番号“Ｌ６５４６４”と、現在の日付である登録日“２００４年１月２日”とを含んでいる。この場合、コンビニエンスストアＥ−ｉが未だユーザＢ−１から書籍を受け取っていないため、保管登録状態情報は“受け渡し待ち”を表している。
次に、保管登録部２２は、ＩＳＢＮコード、上記の書籍個別番号“Ｌ６５４６４”、書籍状態情報、画像データを含む書籍情報９０と、基本レンタル料金Ｒ１“１０００（円）”と報酬金Ｒ２“１００（円）”とを含むレンタル料金Ｒと、レンタル回数Ｎ“０”と、レンタルの不可を表すレンタル可否情報“不”とをレンタル用データベース３０の書籍一覧基本テーブル３３に登録する。
【００４０】
次に、レンタルサーバ１の配送処理部２８は、配送用データベース４０を参照して、保管用書庫識別子を決定し、ユーザ識別子ｂ−１に対応付けてレンタル用データベース３０に登録する（ステップＳ２９）。
具体的には、配送処理部２８は、レンタル用データベース３０の会員情報テーブル３１と、配送用データベース４０のレンタル開始日算出テーブル４１、地図データベース４２とを参照して、複数の書庫識別子ａ−１〜ａ−Ｍの中から、ユーザＢ−１の住所に最も近い書庫である保管用書庫Ａ−１を識別する保管用書庫識別子ａ−１を検索する。配送処理部２８は、その保管用書庫識別子ａ−１を保管場所情報として、上記の書籍個別番号“Ｌ６５４６４”に対応付けてレンタル用データベース３０の書籍一覧基本テーブル３３に登録する。
【００４１】
次に、ユーザＢ−１は、図２４に示されるような受け渡し処理を実行する。
【００４２】
ユーザＢ−１は、上記の書籍と会員カードとを持参して、最寄りのコンビニエンスストアＥ−１に出向く。コンビニエンスストアＥ−１の店員は、その会員カードを、コンビニエンスストアＥ−１に設置された情報処理端末８−１のカードリーダ８７に近づける。このとき、情報処理端末８−１の制御部８４は、カードリーダ８７により、会員カードに記録された会員ＩＤとパスワードとを読み取り、ユーザ識別子としてレンタルサーバ１に送信する（ステップＳ６１）。
レンタルサーバ１のコンビニ受付部２９は、そのユーザ識別子を受け付け、レンタル用データベース３０の会員情報基本テーブル３１に登録されたユーザ識別子ｂ−１〜ｂ−ｎと照合する（ステップＳ６２）。ここで、ユーザ端末５−１からのユーザ識別子と、会員情報基本テーブル３１に登録されたユーザ識別子ｂ−１とが一致する（ステップＳ６３−ＹＥＳ）。コンビニ受付部２９は、ログインを許可し、“保管”、“レンタル”、“返却”を選択するタッチパネル用選択ページを情報処理端末８−１の表示装置８５に表示する（ステップＳ６４）。
ユーザＢ−１は、タッチパネル用選択ページの“保管”を選択する（ステップＳ６５−ＹＥＳ）。この場合、情報処理端末８−１とレンタルサーバ１は図２５に示されるような書籍保管手続を実行する（ステップＳ６６）。
【００４３】
書籍保管手続（ステップＳ６６）において、ユーザＢ−１は、上記の書籍をコンビニエンスストアＥ−１の店員に渡す。店員は、書籍を受け取り、書籍の裏表紙を情報処理端末８−１のバーコードリーダ８８に近づけ、書籍の裏表紙に記載された書籍ＪＡＮコード（バーコード）をバーコードリーダ８８に読み取らせる。このとき、情報処理端末８−１の制御部８４は、バーコードリーダ８８により読み取られた書籍ＪＡＮコードをレンタルサーバ１に送信する（ステップＳ７１）。
レンタルサーバ１のコンビニ受付部２９は、その書籍ＪＡＮコードを受け付ける。コンビニ受付部２９は、レンタル用データベース３０のＩＳＢＮコード対応テーブル３２を参照して、その書籍ＪＡＮコードに含まれるＩＳＢＮコードに一致するＩＳＢＮコード“４００００５４６４６５”を検索し、書籍一覧基本テーブル３３を参照して、そのＩＳＢＮコードに対応する書籍個別番号“Ｌ６５４６４”を検索し、保管登録テーブル３４を参照して、その書籍個別番号に対応する保管登録状態情報を検索する。上述のように、この保管登録状態情報は、“受け渡し待ち”を表している（ステップＳ７２−ＹＥＳ）。この場合、コンビニ受付部２９は、この保管登録状態情報を“受け渡し待ち”から“受け渡し済み”に変更し（ステップＳ７３）、“受け渡し済み”である旨を情報処理端末８−１の表示装置８５に表示する（ステップＳ７４）。このとき、コンビニ受付部２９は、書籍一覧基本テーブル３３を参照して、書籍個別番号“Ｌ６５４６４”に対応するレンタル可否情報を、“不”から、レンタルの許可を表すレンタル可否情報“可”に変更する。
【００４４】
レンタルサーバ１の配送処理部２８は、書籍一覧基本テーブル３３と、レンタル開始日算出テーブル４１とを参照して、配送業者Ｄが保管用書庫Ａ−１に書籍を配送するための保管依頼情報９３を生成して、配送業者端末６に送信する（ステップＳ７５）。保管依頼情報９３は、書籍情報９０と、コンビニエンスストアＥ−１を識別するコンビニ識別子ｅ−１と、保管用書庫識別子ａ−１とを含んでいる。配送業者端末６の制御部６４は、保管依頼情報９３を受け付け、配送業者Ｄの入力装置６６の操作により、出力装置６５（印刷装置、表示装置）に出力する（ステップＳ７６）、配送業者Ｄは、出力された保管依頼情報９３を参照して、コンビニエンスストアＥ−１から保管用書庫Ａ−１に書籍を配送する。
レンタル会社Ａの管理者は、配送された書籍の裏表紙に書籍個別番号“Ｌ６５４６４”に対応したバーコードを添付し、その書籍を保管用書庫Ａ−１に保管する。
【００４５】
本発明のレンタルシステムによれば、例えば第１ユーザ（ユーザＢ−１）が所有する書籍を第２ユーザ（ユーザＢ−２；１人目のレンタル者とする）がレンタルするときに、第２ユーザから第１ユーザに報酬金Ｒ２“１００（円）”が支払われる。このため、書籍を貸し出す第１ユーザにロイヤリティを与えれば、第１ユーザは満足に書籍を貸し出すことができる。このように、本発明のレンタルシステムによれば、ユーザのニーズに応じて、書籍のレンタルを実施することができる。
また、本発明のレンタルシステムでは、ネットワーク１００上で書籍の貸し借りを行なうので、物流に関しては、ユーザ自身ではなく、配送業者Ｄが書籍を配送することが好ましい。この際、物流に関して、配送業者ＤはコンビニエンスストアＥ−１を経由して書籍を配送する。このように、コンビニエンスストアＥ−１を利用することにより、全国規模で書籍を扱うことができる。
【００４６】
（ＩＩ）の場合、即ち、保管された書籍をユーザＢ−ｊがレンタルする場合について説明する。ユーザＢ−ｊは、図２０に示されるように、情報登録処理を実行する。
【００４７】
情報登録処理において、ステップＳ１〜Ｓ６が実行される。この場合、ユーザ端末５−ｊの表示装置５５には、“保管登録受付”、“レンタル登録受付”を選択する欄を含むサービス選択ページ２２０が表示されている。ユーザＢ−ｊは、入力装置５６を操作して、“レンタル登録受付”を選択する（ステップＳ７−ＮＯ、Ｓ９−ＹＥＳ）。この場合、ユーザ端末５−１とレンタルサーバ１は図２２に示されるようなレンタル登録処理を実行する（ステップＳ１０）。
【００４８】
保管登録処理（ステップＳ１０）において、レンタルサーバ１の公開部２３は、“レンタル登録受付”が選択されたとき、後述の公開処理を実行する（ステップＳ３１）。このとき、書籍一覧基本テーブル３３に登録された書籍情報とレンタル料金Ｒとをユーザ端末５−ｊに公開する。この場合、ユーザＢ−ｊは、ネットワーク１００上に公開された書籍情報が表す書籍をレンタルすることが可能である。
書籍情報９０がネットワーク１００上に公開された結果、書籍情報９０が表す書籍がレンタルされたものとする。この場合、レンタルサーバ１のレンタル回数登録部２４は、書籍情報９０に対応するレンタル回数Ｎに“１”をインクリメントし、書籍一覧基本テーブル３３に登録する（ステップＳ３２）。
レンタルサーバ１の報酬決定部２５は、上記の計算式により、レンタル回数Ｎに応じて報酬金Ｒ２を決定（計算）し、書籍一覧基本テーブル３３に登録する（ステップＳ３３）。書籍情報９０が表す書籍は、今まで９回レンタルされていて、ネットワーク１００上に公開された結果、再度レンタルされる。この場合、報酬決定部２５は、レンタル回数Ｎに応じて基本レンタル料金Ｒ１の０．１％を初期ロイヤリティに加算する。このとき、報酬金Ｒ２は、上記の計算式ではレンタル回数Ｎが“１０”であるため、“１１０（円）”である（Ｒ２＝Ｒ１×｛０．１＋（Ｎ×０．００１）｝＝１０００×｛０．１＋（１０×０．００１）｝＝１１０）。
【００４９】
本発明のレンタルシステムによれば、上述のように、報酬金Ｒ２はレンタルの回数Ｎに応じて決定される。例えば第１ユーザ（ユーザＢ−１）が所有する書籍を第２ユーザ（ユーザＢ−３；延べ１０人目のレンタル者とする）がレンタルするときに、第２ユーザから第１ユーザに報酬金Ｒ２“１１０（円）”が支払われる。この報酬金Ｒ２“１１０（円）”は、初期の報酬金Ｒ２“１００（円）”に対して“１０（円）”上がっている。このように、報酬金Ｒ２をレンタルの回数Ｎに比例して高くすることにより、第１ユーザは満足に書籍を貸し出すことができる。
【００５０】
ユーザＢ−ｊが上記のユーザＢ−３である場合を例にして、図２３に示される公開処理（ステップＳ１０）を説明する。
【００５１】
レンタル登録処理（ステップＳ１０）において、レンタルサーバ１の公開部２３は、“レンタル登録受付”が選択されたとき、図１７に示されるような書籍情報表示ページ２５０をユーザ端末５−３の表示装置５５に表示する（ステップＳ４１）。書籍情報表示ページ２５０は、公開された書籍情報が表す書籍を選択する欄を含んでいる。ユーザ端末５−３の制御部５４は、ユーザＢ−３の入力装置５６の操作により、希望する書籍として例えば書籍情報９０を選択して（ステップＳ４２−ＹＥＳ）、書籍情報９０に含まれる書籍個別番号“Ｌ６５４６４”をレンタル情報９１としてレンタルサーバ１に送信する（ステップＳ４３）。
【００５２】
レンタルサーバ１のレンタル受付部２６は、そのレンタル情報９１を受け付ける（ステップＳ４４）。このとき、レンタルサーバ１の配送処理部２８は、配送用データベース４０を参照して、配達用コンビニ識別子とレンタル開始日とを決定する（ステップＳ４５）。
具体的には、配送処理部２８は、レンタル用データベース３０の会員情報テーブル３１と、配送用データベース４０のレンタル開始日算出テーブル４１、地図データベース４２とを参照して、複数のコンビニ識別子ｅ−１〜ｅ−ｍの中から、ユーザＢ−３の住所に最も近いコンビニエンスストアである配達用コンビニエンスストアＥ−１００“川崎店舗”を識別する配達用コンビニ識別子ｅ−１００を検索する。
配送処理部２８は、レンタル情報９１に含まれる書籍個別番号“Ｌ６５４６４”に従って書籍一覧基本テーブル３３を参照し、書籍個別番号“Ｌ６５４６４”に対応する保管場所情報が保管用書庫識別子ａ−１であることを認識する。配送処理部２８は、レンタル開始日算出テーブル４１を参照して、保管用書庫識別子ａ−１と配達用コンビニ識別子ｅ−１００とに対応する配送日数“２”を検索する。即ち、配送処理部２８は、書庫Ａ−１“北海道書庫”に保管された書籍をユーザＢ−３がコンビニエンスストアＥ−１００“川崎店舗”で受け取る場合、レンタル開始日が現在の日付“２００５年６月１３日”に対して“２日後”の“２００５年６月１５日”であることを認識する。
【００５３】
次に、レンタル登録部２７は、図１８に示されるようなレンタル開始可能日確認ページ２６０をユーザ端末５−３の表示装置５５に表示する（ステップＳ４６）。レンタル開始可能日確認ページ２６０は、配達用コンビニ識別子ｅ−１００とレンタル開始日“２００５年６月１５日”とを含み、受け渡しを行なう配達用コンビニエンスストアＥ−１００が“川崎店舗”であり、書籍のレンタルが“２００５年６月１５日”から１０日間であることを表している。レンタル開始可能日確認ページ２６０は、更に、“同意する”、“同意しない”を選択する欄を含んでいる。
【００５４】
ユーザＢ−３は、入力装置５６を操作して、レンタル開始可能日確認ページ２６０の“同意する”を選択する（ステップＳ４７−ＹＥＳ）。このとき、ユーザ端末５−１の制御部５４は、確認要求をレンタルサーバ１に送信し、レンタルサーバ１のレンタル登録部２７は、上記のレンタル情報９１に含まれる書籍個別番号“Ｌ６５４６４”に従って書籍一覧基本テーブル３３とＩＳＢＮコード対応テーブル３２とを参照し、図１９に示されるような書籍レンタル申請ページ２７０をユーザ端末５−３の表示装置５５に表示する（ステップＳ４９）。書籍レンタル申請ページ２７０は、書籍個別番号“Ｌ６５４６４”に対応する書名、著書、出版社、レンタル料金Ｒ“１１１０（円）”、画像データが記載された欄と、レンタル開始日“２００５年６月１５日”、レンタル期限日“２００５年６月２４日”が記載された欄と、配達用コンビニエンスストアＥ−１００“川崎店舗”が記載された欄と、“申請する（送信）”、“申請しない”を選択する欄とを含んでいる。
【００５５】
ユーザＢ−３は、入力装置５６を操作して、書籍レンタル申請ページ２７０の“申請する（送信）”を選択する（ステップＳ５０−ＹＥＳ）。このとき、ユーザ端末５−３の制御部５４は、申請要求をレンタルサーバ１に送信し、レンタルサーバ１のレンタル登録部２７は、レンタル情報９１をユーザ識別子ｂ−３に対応付けてレンタル用データベース３０に登録する（ステップＳ５２）。
具体的には、レンタル登録部２７は、ユニークなレンタル番号“１００１０００”とレンタル情報９１とレンタル登録状態情報とをレンタル用データベース３０のレンタル登録テーブル３５に登録する。登録されるレンタル情報９１は、ユーザＢ−３のユーザ識別子ｂ−３に含まれる会員ＩＤ“０００３”と、レンタル開始日“２００５年６月１５日”と、レンタル期限日“２００５年６月２４日”と、書籍個別番号“Ｌ６５４６４”とを含んでいる。この場合、書庫Ａ−１に保管されている書籍をユーザＢ−３が未だコンビニエンスストアＥ−１００から受け取っていないため、レンタル登録状態情報は“受け渡し待ち”を表している。
【００５６】
配送処理部２８は、書籍一覧基本テーブル３３と、レンタル開始日算出テーブル４１とを参照して、配送業者ＤがユーザＢ−３に書籍を配送するための配送依頼情報９２を生成して、配送業者端末６に送信する（ステップＳ５３）。配送依頼情報９２は、書籍情報９０と、保管用書庫識別子ａ−１と、配達用コンビニ識別子ｅ−１００とを含んでいる。配送業者端末６の制御部６４は、配送依頼情報９２を受け付け、配送業者Ｄの入力装置６６の操作により、出力装置６５（印刷装置、表示装置）に出力する（ステップＳ５４）。このとき、配送業者Ｄは、出力された配送依頼情報９２を参照して、保管用書庫Ａ−１“北海道書庫”から配達用コンビニエンスストアＥ−１００“川崎店舗”に書籍を配送する。
【００５７】
レンタル登録部２７は、レンタル用データベース３０を参照して、ユーザＢ−３の口座からレンタル料金Ｒを課金する課金処理を実行する（ステップＳ５５）。
具体的には、レンタル登録部２７は、会員情報基本テーブル３１と書籍一覧基本テーブル３３とレンタル登録テーブル３５とを参照して、レンタル会員ＩＤである会員ＩＤ“０００３”に対応する口座から、書籍個別番号“Ｌ６５４６４”に対応する基本レンタル料金Ｒ１“１０００（円）”を引き落として、レンタル会社の口座に振り込む。また、レンタル登録部２７は、会員情報基本テーブル３１と書籍一覧基本テーブル３３と保管登録テーブル３４とレンタル登録テーブル３５とを参照して、レンタル会員ＩＤである会員ＩＤ“０００３”に対応する口座から、書籍個別番号“Ｌ６５４６４”に対応する報酬金Ｒ２“１１０（円）”を引き落として、保管会員ＩＤである会員ＩＤ“０００１”の口座に振り込む。レンタル登録部２７は、ユーザＢ−３の口座からレンタル料金Ｒ“１１１０（円）”が引き落とされた旨を電子メールでユーザ端末５−３に通知し、ユーザＢ−１の口座に報酬金Ｒ２“１１０（円）”が振り込まれた旨を電子メールでユーザ端末５−１に通知する。
【００５８】
上述の公開処理（ステップＳ３１）により、書籍情報９０がネットワーク１００上に公開された結果、レンタルサーバ１のレンタル回数登録部２４は、ステップＳ３２を実行し、報酬決定部２５は、ステップＳ３３を実行する。このとき、報酬金Ｒ２は、上記の計算式ではレンタル回数Ｎが“１１”であるため、“１１１（円）”である（Ｒ２＝Ｒ１×｛０．１＋（Ｎ×０．００１）｝＝１０００×｛０．１＋（１１×０．００１）｝＝１１１）。
【００５９】
本発明のレンタルシステムによれば、例えば第１ユーザ（ユーザＢ−１）が所有する書籍を第２ユーザ（ユーザＢ−４；延べ１１人目のレンタル者とする）がレンタルするときに、第２ユーザから第１ユーザに報酬金Ｒ２“１１１（円）”が支払われる。この報酬金Ｒ２“１１１（円）”は、初期の報酬金Ｒ２“１００（円）”に対して“１１（円）”上がっている。このように、報酬金Ｒ２をレンタルの回数Ｎに比例して高くすることにより、第１ユーザは満足に書籍を貸し出すことができる。
【００６０】
ユーザＢ−３は、図２４に示されるように、受け渡し処理を実行する。
【００６１】
ユーザＢ−３は、会員カードを持参して、最寄りのコンビニエンスストアＥ−１００“川崎店舗”に出向く。ここで、受け渡し処理において、ステップＳ６１〜Ｓ６４が実行される。この場合、情報処理端末８−１００の表示装置８５には、“保管”、“レンタル”、“返却”を選択するタッチパネル用選択ページが表示される。
ユーザＢ−３は、タッチパネル用選択ページの“レンタル”を選択する（ステップＳ６５−ＮＯ、Ｓ６７−ＹＥＳ）。この場合、情報処理端末８−１００とレンタルサーバ１は図２６に示されるような書籍レンタル手続を実行する（ステップＳ６８）。
【００６２】
書籍レンタル手続（ステップＳ６８）において、コンビニエンスストアＥ−１００の店員は、配達されている書籍の裏表紙を情報処理端末８−１００のバーコードリーダ８８に近づけ、書籍の裏表紙に添付された書籍個別番号（バーコード）をバーコードリーダ８８に読み取らせる。このとき、情報処理端末８−１の制御部８４は、バーコードリーダ８８により読み取られた書籍個別番号をレンタルサーバ１に送信する（ステップＳ８１）。
レンタルサーバ１のコンビニ受付部２９は、その書籍個別番号を受け付ける。コンビニ受付部２９は、レンタル用データベース３０の書籍一覧基本テーブル３３を参照して、その書籍個別番号に一致する書籍個別番号“Ｌ６５４６４”を検索し、レンタル登録テーブル３５を参照して、その書籍個別番号“Ｌ６５４６４”に対応するレンタル登録状態情報を検索する。上述のように、このレンタル登録状態情報は、“受け渡し待ち”を表している（ステップＳ８２−ＹＥＳ）。この場合、コンビニ受付部２９は、このレンタル登録状態情報を“受け渡し待ち”から“受け渡し済み”に変更し（ステップＳ８３）、“受け渡し済み”である旨を情報処理端末８−１００の表示装置８５に表示する（ステップＳ８４）。このとき、コンビニ受付部２９は、書籍一覧基本テーブル３３を参照して、書籍個別番号“Ｌ６５４６４”に対応するレンタル可否情報を、“可”から、レンタルの許可を表すレンタル可否情報“不”に変更する。
コンビニエンスストアＥ−１００の店員が上記の書籍をユーザＢ−３に渡して、書籍レンタル手続が完了する。
【００６３】
ユーザＢ−３は、書籍を返却する場合、書籍と会員カードとを持参して、例えば最寄りのコンビニエンスストアＥ−１００に出向く。ここで、受け渡し処理において、ステップＳ６１〜Ｓ６４が実行される。この場合、情報処理端末８−１００の表示装置８５には、“保管”、“レンタル”、“返却”を選択するタッチパネル用選択ページが表示される。
ユーザＢ−３は、タッチパネル用選択ページの“返却”を選択する（ステップＳ６５−ＮＯ、Ｓ６７−ＮＯ、Ｓ６９−ＹＥＳ）。この場合、情報処理端末８−１００とレンタルサーバ１は図２７に示されるような書籍返却手続を実行する（ステップＳ７０）。
【００６４】
書籍返却手続（ステップＳ７０）において、ユーザＢ−３は、上記の書籍をコンビニエンスストアＥ−１００の店員に渡す。店員は、書籍を受け取り、店員は、書籍の裏表紙を情報処理端末８−１００のバーコードリーダ８８に近づけ、書籍の裏表紙に添付された書籍個別番号（バーコード）をバーコードリーダ８８に読み取らせる。このとき、情報処理端末８−１の制御部８４は、バーコードリーダ８８により読み取られた書籍個別番号をレンタルサーバ１に送信する（ステップＳ９１）。
レンタルサーバ１のコンビニ受付部２９は、その書籍個別番号を受け付ける。コンビニ受付部２９は、レンタル用データベース３０のレンタル登録テーブル３５を参照して、その書籍個別番号に一致する書籍個別番号“Ｌ６５４６４”を検索し、書籍個別番号“Ｌ６５４６４”に対応するレンタル期限日“２００５年６月２４日”を検索する。
【００６５】
ここで、現在の日付がレンタル期限日以内である（ステップＳ９２−ＮＯ）。この場合、配送処理部２８は、書籍一覧基本テーブル３３とレンタル開始日算出テーブル４１とを参照して、保管依頼情報９３を生成して、配送業者端末６に送信する（ステップＳ９５）。この場合、保管依頼情報９３は、書籍情報９０と、コンビニエンスストアＥ−１００を識別するコンビニ識別子ｅ−１００と、保管用書庫識別子ａ−１とを含んでいる。配送業者端末６の制御部６４は、保管依頼情報９３を受け付け、配送業者Ｄの入力装置６６の操作により、出力装置６５（印刷装置、表示装置）に出力する（ステップＳ９６）、配送業者Ｄは、出力された保管依頼情報９３を参照して、コンビニエンスストアＥ−１から保管用書庫Ａ−１に書籍を配送し、保管依頼情報９３に対する配送返却通知をレンタルサーバ１に送信する（ステップＳ９７）。配送処理部２８は、配送返却通知に従って、レンタル番号“１００１０００”、レンタル情報、レンタル登録状態情報をレンタル登録テーブル３５から消去する（ステップＳ９８）。
【００６６】
一方、現在の日付がレンタル期限日以内である（ステップＳ９２−ＹＥＳ）。この場合、コンビニ受付部２９は、会員情報基本テーブル３１と書籍一覧基本テーブル３３とレンタル登録テーブル３５とを参照して、レンタル会員ＩＤである会員ＩＤ“０００３”に対応する口座から、予め決められた延滞料金を引き落として、レンタル会社の口座に振り込む延滞金課金処理を実行する（ステップＳ９４）。コンビニ受付部２９は、延滞料金を課金した旨を情報処理端末８−１００の表示装置８５に表示する（ステップＳ９５）。また、ステップＳ９５にて、コンビニ受付部２９は、ユーザＢ−３の口座から延滞料金が課金された旨を電子メールでユーザ端末５−３に通知してもよい。その後、書籍返却手続（ステップＳ７０）において、上記のステップＳ９５〜Ｓ９８が実行される。
【００６７】
本発明のレンタルシステムでは、コンビニエンスストアＥ−ｉを利用することにより、第２ユーザがレンタル可能な商品が増え、第１ユーザ（ユーザＢ−１）に支払われる報酬金Ｒ２が増える。このため、ユーザのニーズに応じて、商品のレンタルを実施することができる。
【００６８】
以上の説明により、本発明のレンタルシステムによれば、ユーザのニーズに応じて、商品（ビデオテープ、ＣＤ、書籍）のレンタルを実施することができる。
本発明のレンタルシステムによれば、物流に関してコンビニエンスストアを利用することにより、全国規模で商品を扱うことができる。
【図面の簡単な説明】
【００６９】
【図１】図１は、本発明のレンタルシステムの構成を示すブロック図である。
【図２】図２は、ユーザ端末５−ｊ（ｊ＝１、２、…、ｎ）の構成を示すブロック図である。
【図３】図３は、配送業者端末６の構成を示すブロック図である。
【図４】図４は、情報処理端末８−ｉ（ｉ＝１、２、…、ｍ）の構成を示すブロック図である。
【図５】図５は、レンタルサーバ１の構成を示すブロック図である。
【図６】図６は、会員情報基本テーブル３１に登録されている内容を示している。
【図７】図７は、ＩＳＢＮコード対応テーブル３２に登録されている内容を示している。
【図８】図８は、書籍一覧基本テーブル３３に登録される内容を示している。
【図９】図９は、保管登録テーブル３４に登録される内容を示している。
【図１０】図１０は、レンタル登録テーブル３５に登録される内容を示している。
【図１１】図１１は、レンタル開始日算出テーブル４１に登録されている内容を示している。
【図１２】図１２は、会員登録用紙２００を示している。
【図１３】図１３は、会員認証ページ２１０を示している。
【図１４】図１４は、サービス選択ページ２２０を示している。
【図１５】図１５は、保管登録申請ページ２３０を示している。
【図１６】図１６は、ロイヤリティ確認ページ２４０を示している。
【図１７】図１７は、書籍情報表示ページ２５０を示している。
【図１８】図１８は、レンタル開始可能日確認ページ２６０を示している。
【図１９】図１９は、書籍レンタル申請ページ２７０を示している。
【図２０】図２０は、本発明のレンタルシステムの動作の一部である情報登録処理を示すフローチャートである。
【図２１】図２１は、情報登録処理の保管登録処理（ステップＳ８）を示すフローチャートである。
【図２２】図２２は、情報登録処理のレンタル登録処理（ステップＳ１０）を示すフローチャートである。
【図２３】図２３は、レンタル登録処理（ステップＳ１０）の公開処理（ステップＳ３１）を示すフローチャートである。
【図２４】図２４は、本発明のレンタルシステムの動作の一部である受け渡し処理を示すフローチャートである。
【図２５】図２５は、受け渡し処理の書籍保管手続（ステップＳ６６）を示すフローチャートである。
【図２６】図２６は、受け渡し処理の書籍レンタル手続（ステップＳ６８）を示すフローチャートである。
【図２７】図２７は、受け渡し処理の書籍返却手続（ステップＳ７０）を示すフローチャートである。
【符号の説明】
【００７０】
１    レンタルサーバ
５−１〜５−ｎ    ユーザ端末
６    配送業者端末
８−１〜８−ｍ    情報処理端末
１０、５０、６０、８０    制御装置
１１、５１、６１、８１    ＣＰＵ
１２、５２、６２、８２    記憶装置
１３、５３、６３、８３    コンピュータプログラム
２０    認証部
２１    保管受付部
２２    保管登録部
２３    公開部
２４    レンタル回数登録部
２５    報酬決定部
２６    レンタル受付部
２７    レンタル登録部
２８    配送処理部
２９    コンビニ受付部
３０    レンタル用データベース
３１    会員情報基本テーブル
３２    ＩＳＢＮコード対応テーブル
３３    書籍一覧基本テーブル
３４    保管登録テーブル
３５    レンタル登録テーブル
４０    配送用データベース
４１    レンタル開始日算出テーブル
４２    地図データベース
５４、６４、８４    制御部
１５、５５、８５    表示装置
１６、５６、６６    入力装置
６５    出力装置
８７    カードリーダ
８８    バーコードリーダ
９０    書籍情報
９１    レンタル情報
９２    配送依頼情報
９３    保管依頼情報
１００    ネットワーク
２００    会員登録用紙
２１０    会員認証ページ
２２０    サービス選択ページ
２３０    保管登録申請ページ
２４０    ロイヤリティ確認ページ
２５０    書籍情報表示ページ
２６０    レンタル開始可能日確認ページ
２７０    書籍レンタル申請ページ
Ａ    レンタル会社
Ａ−１〜Ａ−Ｍ    書庫
Ｂ−１〜Ｂ−ｎ    ユーザ
ｂ−１〜ｂ−ｎ    ユーザ識別子
Ｄ    配送業者
Ｅ−１〜Ｅ−ｍ    コンビニエンスストア
ｅ−１〜ｅ−ｍ    コンビニ識別子
Ｐ    定価
Ｒ    レンタル料金
Ｒ１    基本レンタル料金
Ｒ２    報酬金
Ｘ、Ｙ、Ｚ    定数
【図１】
2007004622.tif 000003
【図２】
2007004622.tif 000004
【図３】
2007004622.tif 000005
【図４】
2007004622.tif 000006
【図５】
2007004622.tif 000007
【図６】
2007004622.tif 000008
【図７】
2007004622.tif 000009
【図８】
2007004622.tif 000010
【図９】
2007004622.tif 000011
【図１０】
2007004622.tif 000012
【図１１】
2007004622.tif 000013
【図１２】
2007004622.tif 000014
【図１３】
2007004622.tif 000015
【図１４】
2007004622.tif 000016
【図１５】
2007004622.tif 000017
【図１６】
2007004622.tif 000018
【図１７】
2007004622.tif 000019
【図１８】
2007004622.tif 000020
【図１９】
2007004622.tif 000021
【図２０】
2007004622.tif 000022
【図２１】
2007004622.tif 000023
【図２２】
2007004622.tif 000024
【図２３】
2007004622.tif 000025
【図２４】
2007004622.tif 000026
【図２５】
2007004622.tif 000027
【図２６】
2007004622.tif 000028
【図２７】
2007004622.tif 000029